(57)【要約】【課題】電子機器において、押し子の中心のずれに起因するクリック感の悪化を軽減する。【解決手段】電子機器１０１は、筐体部品１と、押されていないときの第１位置と押されたときの第２位置との間で可逆的に変位可能なように保持されているボタン部２０と、スイッチ３とを備え、ボタン部２０は、ボタン部本体４と、ボタン部本体４から突出し、ボタン部２０が前記第１位置にあるときにはスイッチ３を押圧せずボタン部２０が前記第２位置にあるときにはスイッチ３を押圧する押し子５と、ボタン部本体４から押し子５とは別の場所において押し子５と同じ側に突出する１以上の突起６とを備え、ボタン部本体４のスイッチ３に対向する側の面を平面的に見たときに、押し子５の中心と前記１以上の突起６の中心とは、ボタン部本体４の中心を挟むまたは取り囲むように配置されている。【選択図】図３
2016184522.tif 000002
【特許請求の範囲】
【請求項１】
筐体部品と、
外部から押されていないときの第１位置と外部から押されたときの第２位置との間で可逆的に変位可能なように、前記筐体部品によって保持されているボタン部と、
前記筐体部品に保持されていて、押圧されているか否かを検出するスイッチとを備え、
前記ボタン部は、ボタン部本体と、前記ボタン部本体から前記スイッチに向かって突出し、前記ボタン部が前記第１位置にあるときには前記スイッチを押圧せず前記ボタン部が前記第２位置にあるときには前記スイッチを押圧する押し子と、
前記ボタン部本体から前記押し子とは別の場所において前記押し子と同じ側に突出する１以上の突起とを備え、
前記１以上の突起は、少なくとも前記ボタン部が前記第２位置にあるときには前記筐体部品に当接するように、前記筐体部品に対向しており、
前記ボタン部本体の前記スイッチに対向する側の面を平面的に見たときに、
前記押し子の中心と前記１以上の突起の中心とは、前記ボタン部本体の中心を挟むまたは取り囲むように配置されている、電子機器。
【請求項２】
前記ボタン部は、第１材料からなる部分と前記第１材料より軟らかい第２材料からなる部分とを含んでおり、前記１以上の突起は前記第２材料によって形成されている、請求項１に記載の電子機器。
【請求項３】
前記第１材料および前記第２材料はいずれも樹脂であり、前記ボタン部は前記第１材料と前記第２材料との二色成形によって形成されている、請求項２に記載の電子機器。
【請求項４】
前記筐体部品は、前記押し子の少なくとも一部を収容する袋状の防水パッキンを保持しており、前記押し子は前記防水パッキンを介して前記スイッチを押圧する、請求項１から３のいずれかに記載の電子機器。
【発明の詳細な説明】
【技術分野】
【０００１】
本開示は、電子機器に関するものである。
【背景技術】
【０００２】
本体の側部に操作のためのボタンが配置されている電子機器の一例が、特開２０１４−１２０２０３号公報（特許文献１）に記載されている。
【先行技術文献】
【特許文献】
【０００３】
【特許文献１】特開２０１４−１２０２０３号公報
【発明の概要】
【発明が解決しようとする課題】
【０００４】
一般的に、ボタンは裏側に押し子と呼ばれる突出部を有している。通常、ユーザからは押し子は見えていない。ユーザが押すのはボタンのオモテ側に見えている部分である。電子機器の内部の設計の都合上、押し子の中心とボタンのオモテ側に見える部分の中心とがずれた状態で配置せざるを得ない場合がある。
【０００５】
ボタンのオモテ側の中心と押し子の中心とがずれた構造であると、ボタンを押した際に、ボタンに回転方向の力がかかってしまい、クリック感が悪くなるという問題があった。
【０００６】
そこで、本開示は、押し子の中心のずれに起因するクリック感の悪化を軽減することができる電子機器を提供することを目的とする。
【課題を解決するための手段】
【０００７】
上記目的を達成するため、本開示に基づく電子機器は、筐体部品と、外部から押されていないときの第１位置と外部から押されたときの第２位置との間で可逆的に変位可能なように、上記筐体部品によって保持されているボタン部と、上記筐体部品に保持されていて、押圧されているか否かを検出するスイッチとを備え、上記ボタン部は、ボタン部本体と、上記ボタン部本体から上記スイッチに向かって突出し、上記ボタン部が上記第１位置にあるときには上記スイッチを押圧せず上記ボタン部が上記第２位置にあるときには上記スイッチを押圧する押し子と、上記ボタン部本体から上記押し子とは別の場所において上記押し子と同じ側に突出する１以上の突起とを備え、上記１以上の突起は、少なくとも上記ボタン部が上記第２位置にあるときには上記筐体部品に当接するように、上記筐体部品に対向しており、上記ボタン部本体の上記スイッチに対向する側の面を平面的に見たときに、上記押し子の中心と上記１以上の突起の中心とは、上記ボタン部本体の中心を挟むまたは取り囲むように配置されている。
【発明の効果】
【０００８】
本開示によれば、ボタン部は押し込まれたときに押し子および１以上の突起によってバランス良く支えられるので、回転方向の力がかかることを避けることができ、押し子の中心のずれに起因するクリック感の悪化を軽減することができる。
【図面の簡単な説明】
【０００９】
【図１】本開示に基づく実施の形態１における電子機器の斜視図である。
【図２】本開示に基づく実施の形態１における電子機器の側面図である。
【図３】図２におけるＩＩＩ−ＩＩＩ線に関する部分的な矢視断面図である。
【図４】本開示に基づく実施の形態１における電子機器に備わるスイッチなどの斜視図である。
【図５】図３においてボタン部を押した後の状態の断面図である。
【図６】本開示に基づく実施の形態１における電子機器に備わるボタン部の斜視図である。
【図７】本開示に基づく実施の形態１における電子機器に備わるボタン部の第１の側面図である。
【図８】本開示に基づく実施の形態１における電子機器に備わるボタン部の第２の側面図である。
【図９】本開示に基づく実施の形態１における電子機器に備わるボタン部の下面図である。
【図１０】本開示に基づく実施の形態２における電子機器に備わるボタン部の側面図である。
【図１１】本開示に基づく実施の形態２における電子機器に備わるボタン部の下面図である。
【図１２】図１０におけるＸＩＩ−ＸＩＩ線に関する矢視断面図である。
【図１３】本開示に基づく実施の形態２における電子機器に備わるボタン部の断面図である。
【図１４】本開示に基づく実施の形態２における電子機器の部分断面図である。
【図１５】本開示に基づく実施の形態３における電子機器の部分断面図である。
【図１６】ボタン部本体の裏側における各構成要素の位置関係の第１の例の平面図である。
【図１７】ボタン部本体の裏側における各構成要素の位置関係の第２の例の平面図である。
【図１８】ボタン部本体の裏側における各構成要素の位置関係の第３の例の平面図である。
【図１９】ボタン部本体の裏側における各構成要素の位置関係の第４の例の平面図である。
【図２０】ボタン部本体の裏側における各構成要素の位置関係の第５の例の平面図である。
【発明を実施するための形態】
【００１０】
（実施の形態１）
（構成）
図１〜図９を参照して、本開示に基づく実施の形態１における電子機器について説明する。本実施の形態における電子機器１０１の外観を模式的に図１に示す。電子機器１０１は、ボタン部２０を備える。電子機器１０１を、ボタン部２０が配置されている側の面から見たところを図２に示す。図２におけるＩＩＩ−ＩＩＩ線に関する部分的な矢視断面図を図３に示す。
【００１１】
ここでは、電子機器１０１は板状のものとして示し、ボタン部２０は電子機器１０１の側面に配置されているが、これはあくまで一例であり、電子機器１０１の外観形状はここに示すものに限らない。電子機器１０１は、板状のものとは限らない。電子機器１０１においてボタン部２０が配置される位置は、側面とは限らない。電子機器１０１に備わるボタン部の数は１個とは限らず、２個以上であってもよい。
【００１２】
図３では、ユーザがボタン部２０を押していない状態を示している。図３に示されているスイッチ３などを取り出したときの斜視図を図４に示す。スイッチ３はフレキシブル基板８の表面に設置されている。スイッチ３はドーム状の凸部を含んでおり、この凸部がフレキシブル基板８の厚み方向に押し下げられることによって、オンとなる。押圧されていないときには、スイッチ３はオフ状態となっている。オンとオフの組合せは逆であってもよい。また、スイッチ３の構造としてここで説明したのはあくまで一例であり、これ以外の構造によってスイッチ３が構成されていてもよい。ただし、スイッチ３は、何らかの部材によって押し下げられることによって状態が切り替わるものとする。
【００１３】
図３に、ボタン部本体４の中心線８１を示す。電子機器１０１のユーザにとっては、ボタン部２０のうちボタン部本体４の一部のみが見えているのであって、ユーザがボタン部２０を押す場合は、通常は、この見えている部分の中心を押そうとするであろうから、中心線８１に沿って矢印９１のようにボタン部２０への押圧力を加えると考えられる。
【００１４】
図３においてボタン部２０を矢印９１の向きに押した後の状態を図５に示す。図５ではスイッチ３が押し子５によって押されることによって平坦となっている。図５の状態からボタン部２０への押圧をやめることにより図３の状態に戻る。このときにはスイッチ３は元の凸形状に戻る。図３の状態と図５の状態とは可逆的に何度でも切り替わることができる。図３においてボタン部２０が存在している筐体部品１に対する相対的な位置を「第１位置」とし、図５においてボタン部２０が存在している筐体部品１に対する相対的な位置を「第２位置」として把握することができる。
【００１５】
本実施の形態における電子機器１０１は、筐体部品１と、外部から押されていないときの第１位置と外部から押されたときの第２位置との間で可逆的に変位可能なように、筐体部品１によって保持されているボタン部２０と、筐体部品１に保持されていて、押圧されているか否かを検出するスイッチ３とを備える。なお、ここでは説明の便宜のため、筐体部品１は、１個の部品であるものとして説明しているが、実際には、筐体部品１は複数の部品の組合せであってもよい。また、筐体部品１はこれ単独で電子機器の筐体の全体を構成するものであってもよいが、電子機器の筐体の一部分のみを構成するものであってもよい。
【００１６】
ボタン部２０は、ボタン部本体４と、ボタン部本体４からスイッチ３に向かって突出し、ボタン部２０が第１位置にあるときにはスイッチ３を押圧せずボタン部２０が第２位置にあるときにはスイッチ３を押圧する押し子５と、ボタン部本体４から押し子５とは別の場所において押し子５と同じ側に突出する１以上の突起６とを備える。これらの１以上の突起６は、少なくともボタン部２０が第２位置にあるときには筐体部品１に当接するように、筐体部品１に対向している。
【００１７】
なお、突起６の個数は１以上であれば何個でもよいが、ここでは説明の便宜のために、図３および図５に示すように突起６の個数は１であるものとして説明する。図５に示すように、押し子５の中心線８２は、ボタン部本体４の中心線８１からずれた位置にある。
【００１８】
ここでは、ボタン部２０が第２位置にあるときに１以上の突起６が筐体部品１に当接することに言及したが、筐体部品１は上述したように複数の部品の組合せであってもよいので、たとえば、ボタン部２０を保持する部品Ａと、１以上の突起６が当接する相手方となる部品Ｂとは一体物とは限らず、別体の部品であってもよい。この場合、部品Ａと部品Ｂとの両方が筐体部品１に含まれると解釈される。部品Ａと部品Ｂとを含む筐体部品１の全体に注目すれば、筐体部品１がボタン部２０を保持しているといえ、なおかつ、少なくともボタン部２０が第２位置にあるときに１以上の突起６が筐体部品１に当接するということができる。
【００１９】
ボタン部２０を単独で取り出したところを図６〜図９に示す。ボタン部２０の斜視図を図６に示し、側面図を図７に示す。ボタン部２０を図７とは９０°異なる向きから見たところを図８に示す。ボタン部２０を図７における下方から見たところを図９に示す。ボタン部２０は、ボタン部本体４の外縁を取り囲むように張出し部９を備える。
【００２０】
ボタン部本体４のスイッチ３に対向する側の面を平面的に見たときに、押し子５の中心と１以上の突起６の中心とは、ボタン部本体４の中心を挟むまたは取り囲むように配置されている。
【００２１】
ユーザがボタンを押していない状態、すなわち、ボタン部２０が第１位置にあるときには（図３参照）、押し子５はスイッチ３に接触していても接触していなくてもよいが、スイッチ３をオン状態にはしていない。ボタン部２０が第１位置にあるときには、突起６は筐体部品１の面７に当接していても当接していなくてもよい。
【００２２】
ユーザがボタンを押した状態、すなわち、ボタン部２０が第２位置にあるときには（図５参照）、押し子５はスイッチ３を押圧しており、スイッチ３はオン状態となっている。ボタン部２０が第２位置にあるときには、突起６は筐体部品１の面７に当接している。このとき、突起６は面７に押し付けられることにより圧縮されて弾性変形していてもよい。
【００２３】
（作用・効果）
本実施の形態では、押し子５の中心と１以上の突起６の中心とが、上述のような位置関係となっているので、押し子５と１以上の突起６とを含めた複数の突起群全体の中心線は、中心線８３である。押し子５の中心線８２がボタン部本体４の中心線８１からずれている長さよりも、中心線８３がボタン部本体４の中心線８１からずれている長さの方が小さくなっている。ボタン部２０は押し込まれたときには、中心線８３を中心として押し子５および１以上の突起６によってバランス良く支えられることとなる。
【００２４】
本実施の形態では、このような構成となっているので、ユーザがボタンを押した際に、ボタンに回転方向の力がかかることを避けることができ、押し子の中心のずれに起因するクリック感の悪化を軽減することができる。
【００２５】
本実施の形態で示したボタン部本体４の形状はあくまで一例であり、この形状に限らない。本実施の形態で示した押し子５および突起６の位置、形状、個数は、あくまで一例であり、ここで示したものに限らない。
【００２６】
本実施の形態では、ボタン部２０が張出し部９を備える例を示したが、張出し部９はあってもなくてもよい。張出し部９を設けておくことにより、ボタン部２０が脱落することを防止することができる。また、ボタン部２０の外周の隙間から異物が侵入することを防止することができる。
【００２７】
（実施の形態２）
（構成）
図１０〜図１４を参照して、本開示に基づく実施の形態２における電子機器について説明する。本実施の形態における電子機器においては、基本的な構成は実施の形態１で説明したものと同様であるが、以下の点で異なる。
【００２８】
本実施の形態における電子機器は、外観は図１および図２に示したものと同様であるが、ボタン部の構造が異なる。本実施の形態における電子機器は、図１０〜図１３に示すようなボタン部２１を備える。
【００２９】
ボタン部２１の側面図を図１０に示す。ボタン部２１を裏側から見たところを図１１に示す。ボタン部２１の裏面には押し子５および突起６が突出するように設けられている。ボタン部２１の裏面のうち押し子５および突起６とは別の場所においては、複数の凹部１０が設けられている。ただし、このような凹部１０を設けることは必須ではない。図１０におけるＸＩＩ−ＸＩＩ線に関する矢視断面図を図１２に示す。ボタン部２１の断面図を図１３に示す。
【００３０】
本実施の形態における電子機器に備わるボタン部２１は、第１材料からなる部分２ａと第１材料より軟らかい第２材料からなる部分２ｂとを含んでいる。１以上の突起６は第２材料によって形成されている。
【００３１】
図１３に示すように、ボタン部２１においては、ボタン部本体の側面は主に第１材料からなる部分２ａに属する。ユーザが押す際に触れるオモテ側の中央部分は第２材料からなる部分２ｂに属する。
【００３２】
本実施の形態における電子機器１０２の部分断面図を図１４に示す。筐体部品１によってボタン部２１が保持されている。図１４では、ユーザがボタンを押していない状態、すなわち、ボタン部２１が第１位置にある状態を示している。ユーザは中心線８１に沿って矢印９１の向きにボタンを押す。
【００３３】
（作用・効果）
本実施の形態においても、実施の形態１と同様の効果を得ることができる。
【００３４】
本実施の形態では、軟らかさの異なる２種類の材料からなる部分を含むようにしてボタン部２１が構成されているので、強度が必要な部分は硬い材料で形成しつつ、軟らかい方が好ましい部分は軟らかい材料で形成することができる。特に本実施の形態では、突起６は２種類のうち軟らかい方の材料である第２材料によって形成されているので、突起６が面７に当たった際に面７を傷つけることを防止することができる。また、突起６は面７に当たった際に円滑に弾性変形することができる。
【００３５】
本実施の形態におけるボタン部２１も、張出し部９を備えるが、張出し部９は、第１材料からなる部分２ａに属する部分と、第２材料からなる部分２ｂに属する部分との両方を含んでいる。もっとも張出し部９自体はあってもなくてもよい。図１１に示すように、この例では、部分２ｂが外縁に達している部分が５ヶ所ある。これらの５ヶ所のうち４ヶ所においては、突起１４が設けられている。突起１４は部分２ｂに属する。これらの構成はあくまで一例として示したものである。
【００３６】
本実施の形態では、第１材料および第２材料はいずれも樹脂であり、ボタン部２１は第１材料と第２材料との二色成形によって形成されていることが好ましい。第１材料は、たとえばＰＣ（ポリカーボネート）であってもよい。第２材料は、たとえばＴＰＵ（熱可塑性ポリウレタン）であってもよい。第１材料および第２材料がいずれも樹脂であることにより、ボタン部２１を軽量なものとすることができる。また、ボタン部２１を容易に作製することができる。樹脂同士の組合せであることにより、ボタン部２１の二色成形も可能となる。実際に、ボタン部２１が第１材料と第２材料との二色成形によって形成されていれば、これら２種類の材料が堅固に組み合わさって一体化した構成を容易に得ることができる。
【００３７】
（実施の形態３）
（構成）
図１５を参照して、本開示に基づく実施の形態３における電子機器について説明する。
【００３８】
本実施の形態における電子機器は、外観は図１および図２に示したものと同様であるが、ボタン部の周辺の構造が異なる。本実施の形態における電子機器１０３の部分断面図を図１５に示す。筐体部品１によってボタン部２１が保持されている。図１５では、ユーザがボタンを押していない状態、すなわち、ボタン部２１が第１位置にある状態を示している。ユーザは中心線８１に沿ってボタンを押す。
【００３９】
本実施の形態における電子機器１０３においては、基本的な構成は実施の形態１で説明したものと同様であるが、以下の点で異なる。
【００４０】
筐体部品１は、押し子５の少なくとも一部を収容する袋状の防水パッキン１１を保持しており、押し子５は防水パッキン１１を介してスイッチ３を押圧する。電子機器１０３におけるこのボタンはある程度の防水性能をもたせたボタンとなっている。本実施の形態におけるボタン部は、実施の形態２で示したボタン部２１と同じ構造であってもよい。
【００４１】
図１５では、ユーザがボタンを押していない状態、すなわち、ボタン部２１が第１位置にある状態を示している。ユーザは中心線８１に沿ってボタンを押す。
【００４２】
本実施の形態で示した例では、防水パッキン１１の内部には補強部材１２が配置されている。補強部材１２は金属からなる。防水パッキン１１が形状を維持するためには、補強部材１２が配置されていることが好ましいが、補強部材１２の存在自体は必須ではない。
【００４３】
（作用・効果）
本実施の形態においても、実施の形態２と同様の効果を得ることができる。
【００４４】
本実施の形態では、ボタン部２１の押し子５は防水パッキン１１を介してスイッチ３を押圧することとなっており、スイッチ３周辺への水などの進入は防水パッキン１１によって防がれる構造となっている。これにより、スイッチ３が濡れることを防止できるので、防水性能を高めたボタン構造とすることができる。また、このように防水構造をもたせたい場合には、スイッチ３の位置、防水パッキン１１の形状などから押し子５を配置できる位置に制約が生じる場合もあるが、本実施の形態では、押し子５を所望の位置に配置したとしても、実施の形態１で述べたように、突起６を適宜配置してバランスをとることによってユーザがボタンを押した際にボタンに回転方向の力がかかることを避けることができ、押し子の中心のずれに起因するクリック感の悪化を軽減することができるので、その効果を顕著に享受することができる。
【００４５】
（ボタン部本体の中心と他の構成要素の位置関係について）
実施の形態１において、「ボタン部本体４のスイッチ３に対向する側の面を平面的に見たときに、押し子５の中心と１以上の突起６の中心とは、ボタン部本体４の中心を挟むまたは取り囲むように配置されている」旨を既に述べたが、これらの構成要素の位置関係について、さらに詳しく説明する。
【００４６】
これまで１つのボタン部は１つの独立した部材であって１つの押圧対象領域のみを有することを前提に説明してきたが、複数のボタン部がつながって一体的な部材となっていることもありうる。いわゆる十字キーもその一例である。円形、正方形などの部材において上下左右の各部を押すごとに異なる操作として受け付けられるようなボタン構造もこれに該当する。１本の長手形状の部材の一方の端と他方の端とで異なる役割が与えられている場合もこれに該当する。これらの場合、１つの部材の中の押圧対象領域ごとに別箇のボタン部とみなすべきである。いずれの場合であっても、１つのボタン部は１つのボタン部本体を含む。
【００４７】
「ボタン部本体の中心」といった場合には、１つの押圧対象領域の中心を意味する。まず、１つのボタン部が１つの独立した部材である例について説明する。このボタン部はボタン部本体４を含むものとする。
【００４８】
図１６〜図２０では、ボタン部本体を裏側から平面視したところを示しており、それぞれボタン部本体の中心１３も示している。上述したように、ユーザがボタン部を押す際には、通常、ボタン部本体の中心１３を中心に押圧力が加えられる。
【００４９】
ボタン部本体は、図６などに示したような長手形状のものとは限らず、たとえば図１６に示すような正方形であってもよい。図１６に示した正方形のボタン部本体４ｅにおいては、押し子５と突起６とが設けられており、押し子５と突起６とは、ボタン部本体４の中心１３を挟むように配置されている。ここでは、突起６が１つだけある構成となっていたが、突起６が２つある場合には、たとえば図１７に示すような配置も考えられる。押し子５と２つの突起６ａ，６ｂとは、ボタン部本体４の中心１３を取り囲むように配置されている。このように、押し子５と２つの突起６ａ，６ｂとが三角形をなすように配置されることが好ましい。
【００５０】
次に、１つの部材の中に複数のボタン部が設定されている例について説明する。ここでは、長手形状のひとつながりの部材のうちのある１つの端部が１つのボタン部となっている。図１８〜図２０では、当該端部のみを示している。この端部は１つのボタン部本体４ｆに相当する。図１８に示した例では、ボタン部本体４ｆの裏面において押し子５と突起６とがボタン部の幅方向に並ぶように配置されている。この例においては、押し子５と突起６とは、ボタン部本体４ｆの中心１３を挟むように配置されている。
【００５１】
他の例を図１９に示す。図１９に示した例では、ボタン部本体４ｆの裏面において押し子５と突起６とがボタン部の長手方向に並ぶように配置されている。この例においても、押し子５と突起６とは、ボタン部本体４ｆの中心１３を挟むように配置されている。
【００５２】
さらに他の例を図２０に示す。図２０に示した例では、ボタン部本体４ｆの裏面において押し子５と突起６とがボタン部の長手方向に斜めに交差する直線上に沿って並ぶように配置されている。この例においても、押し子５と突起６とは、ボタン部本体４ｆの中心１３を挟むように配置されている。
【００５３】
図１６〜図２０に示したようなそれぞれの例においても、これまでの各実施の形態で説明したような効果を得ることができる。
【００５４】
なお、上記実施の形態のうち複数を適宜組み合わせて採用してもよい。
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電子辞書、電子書籍リーダー、デジタルカメラ、ビデオカメラ、ラジオ受信機、カーナビゲーションシステムなどを含む広い概念である。携帯電話または携帯情報端末の概念にはスマートフォンが含まれる。
【００５５】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００５６】
１  筐体部品、２ａ，２ｂ  部分、３  スイッチ、４，４ｅ  ボタン部本体、５  押し子、６，６ａ，６ｂ  突起、７  面、８  フレキシブル基板、９  張出し部、１０  凹部、１１  防水パッキン、１２  補強部材、１３  （押圧の中心となる）点、１４  （側方への）突起、２０，２１  ボタン部、８１，８２，８３  中心線、９１  矢印、１０１，１０２，１０３  電子機器。
【図１】
2016184522.tif 000003
【図２】
2016184522.tif 000004
【図３】
2016184522.tif 000005
【図４】
2016184522.tif 000006
【図５】
2016184522.tif 000007
【図６】
2016184522.tif 000008
【図７】
2016184522.tif 000009
【図８】
2016184522.tif 000010
【図９】
2016184522.tif 000011
【図１０】
2016184522.tif 000012
【図１１】
2016184522.tif 000013
【図１２】
2016184522.tif 000014
【図１３】
2016184522.tif 000015
【図１４】
2016184522.tif 000016
【図１５】
2016184522.tif 000017
【図１６】
2016184522.tif 000018
【図１７】
2016184522.tif 000019
【図１８】
2016184522.tif 000020
【図１９】
2016184522.tif 000021
【図２０】
2016184522.tif 000022